(57)【特許請求の範囲】
【請求項１】
シートシャッターカーテンのシート本体と、
該シート本体のシート下端部の左右で垂れ下がる垂下片部と、
前記シート本体と前記垂下片部とのシート両端部に固定され、ガイドレールに係合し案内支持されるシート側部係合帯と、
前記シート下端部に固定される着脱材支持帯と、
前記着脱材支持帯に係合する連結帯と、
前記連結帯に固定される袋状ボトムシートと、
前記垂下片部、前記シート側部係合帯、前記着脱材支持帯、及び前記連結帯を前記シート本体の表裏から挟んで固定する案内支持板と、
を具備し、
前記案内支持板と前記袋状ボトムシートとが分離し、スリットが介在されることを特徴とするシートシャッターカーテンの構造。
【請求項２】
請求項１記載のシートシャッターカーテンの構造であって、
矩形状に形成されて前記袋状ボトムシートの内部に挿入されるとともに、上縁部が前記袋状ボトムシートに固定され、且つ側縁部が前記案内支持板に固定される隙間塞ぎ用シートを具備することを特徴とするシートシャッターカーテンの構造。
【請求項３】
請求項２記載のシートシャッターカーテンの構造であって、
前記隙間塞ぎ用シートの前記側縁部が、前記垂下片部と、前記シート側部係合帯と、前記着脱材支持帯と、前記連結帯とともに前記案内支持板に挟持固定されることを特徴とするシートシャッターカーテンの構造。
【請求項４】
請求項１又は２又は３記載のシートシャッターカーテンの構造であって、
前記連結帯が前記着脱材支持帯に対して長手方向にスライドして着脱自在となり、
前記着脱材支持帯と、前記連結帯とが、螺合手段を用いて表側案内支持板と裏側案内支持板とによって解除可能に挟持固定されることを特徴とするシートシャッターカーテンの構造。
【発明の詳細な説明】
【技術分野】
【０００１】
本発明は、シートシャッターカーテンの構造に関する。
【背景技術】
【０００２】
建物の開口部に設けられたり、屋内の間仕切り、例えば冷凍・冷蔵施設の出入口などに設けられる、シート状のシャッターカーテンを昇降開閉するシートシャッター装置が知られている（例えば特許文献１参照）。シートシャッター装置では、シャッターカーテンの下縁が床面に接触するように、或いは、風や、開口部を挟む内外の気圧差によってシャッターカーテンが煽られないようにするため、カーテン下端には、錘が設けられる。例えば、パイプを入れる袋が固定され、開口幅に渡る金属パイプや棒状部材が入れられる。ところが、金属パイプや棒状部材は、真直に連続した一本の構造体であり、シートの弛みを起こさない重量を有するとともに剛性があり、カーテン下降方向に物、或いは人が存在した場合に危険が及ぶ虞がある。そこで、開口幅長に連続する金属パイプ等の素材に替わり、砂や鉄製の球形粒子などの入った袋状ボトムシートを錘として使用することが提案されている。この構成によれば錘が当たっても柔らかく、衝撃吸収となり、錘形状に自由度もあることから有効な手段とされている。
【先行技術文献】
【特許文献】
【０００３】
【特許文献１】特開２００８−１６９５８４号公報
【発明の概要】
【発明が解決しようとする課題】
【０００４】
しかしながら、上記した袋状ボトムシートをシート下端部に備えたシートシャッターカーテンは、下降中に袋状ボトムシートが人や障害物に衝突した際、当り方や角度によっては、シート両端部をガイドレールに係合する係合部が、ガイドレールから抜け出してしまう虞がある。すなわち袋状ボトムシートが障害物にて変形することで、シートの最下端となる係合部をシート中央方向に引っ張ることになり、ガイドレールとの係合状態を解いてしまうことになる。係合部がガイドレールから抜け出した場合は、係合部をガイドレールに嵌合し直す作業が必要となる。また、袋状ボトムシートが障害物に衝突する際に、シート下端部がへの字状に変形して、シート下端部の左右に、中央部に引っ張られる局部的な力がかかるため、シート下端部における左右の係合部が変形、損傷する虞、さらにはシート自体の破損の虞もあった。
【０００５】
本発明は上記状況に鑑みてなされたもので、その目的は、シートシャッターカーテンの下降中に、障害物がシート下端部に接触した場合であっても、ガイドレールからシート両端部が抜け出にくいシートシャッターカーテンの構造を提供することにある。
【課題を解決するための手段】
【０００６】
次に、上記の課題を解決するための手段を、実施の形態に対応する図面を参照して説明する。
本発明の請求項１記載のシートシャッターカーテン１７の構造は、シートシャッターカーテン１７のシート本体２５と、
該シート本体２５のシート下端部３７の左右で垂れ下がる垂下片部４５と、
前記シート本体２５と前記垂下片部４５とのシート両端部５１に固定され、ガイドレール１９に係合し案内支持されるシート側部係合帯５３と、
前記シート下端部３７に固定される着脱材支持帯３３と、
前記着脱材支持帯３３に係合する連結帯３５と、
前記連結帯３５に固定される袋状ボトムシート６３と、
前記垂下片部４５、前記シート側部係合帯５３、前記着脱材支持帯３３、及び前記連結帯３５を前記シート本体２５の表裏から挟んで固定する案内支持板３１と、
を具備し、
前記案内支持板３１と前記袋状ボトムシート６３とが分離し、スリット６５が介在されることを特徴とする。
【０００７】
このシートシャッターカーテン１７の構造では、案内支持板３１と袋状ボトムシート６３とが分離され、袋状ボトムシート６３が障害物６７に衝突した際の衝撃力が局部的にかかるのではなく、シート下端部３７の全体にかかるようになる。そして袋状ボトムシート６３が撓むようなことがあった場合に、袋状ボトムシート６３は左右が中央方向に引っ張られる状態となるが、分離によるスリット６５が存在することで、シート側部係合帯５３のファスナー４９が引っ張られず、ガイドレール１９から抜けてしまうことがない。
【０００８】
請求項２記載のシートシャッターカーテン１７の構造は、請求項１記載のシートシャッターカーテン１７の構造であって、
矩形状に形成されて前記袋状ボトムシート６３の内部に挿入されるとともに、上縁部７１が前記袋状ボトムシート６３に固定され、且つ側縁部７３が前記案内支持板３１に挟持固定される隙間塞ぎ用シート６９を具備することを特徴とする。
【０００９】
このシートシャッターカーテン１７の構造では、分離部分に形成されるスリット６５に隙間塞ぎ用シート６９を配したことで、スリット６５が目立たない。シートシャッターカーテン１７の閉鎖時には、スリット６５に隙間塞ぎ用シート６９が介在することとなり、気密性が向上し、光漏れが防止される。
【００１０】
請求項３記載のシートシャッターカーテン１７の構造は、請求項２記載のシートシャッターカーテン１７の構造であって、
前記隙間塞ぎ用シート６９の前記側縁部７３が、前記垂下片部４５と、前記シート側部係合帯５３と、前記着脱材支持帯３３と、前記連結帯３５とともに前記案内支持板３１に挟持固定されることを特徴とする。
【００１１】
このシートシャッターカーテン１７の構造では、上縁部７１が連結帯３５及び袋状ボトムシート６３に固定された隙間塞ぎ用シート６９の側縁部７３が、垂下片部４５と、シート側部係合帯５３とに固定され、案内支持板３１とシート下端部３７とが隙間塞ぎ用シート６９を介して高強度に連結される。
【００１２】
請求項４記載のシートシャッターカーテン１７の構造は、請求項１又は２又は３記載のシートシャッターカーテン１７の構造であって、
前記連結帯３５が前記着脱材支持帯３３に対して長手方向にスライドして着脱自在となり、
前記着脱材支持帯３３と、前記連結帯３５とが、螺合手段３９を用いて表側案内支持板４１と裏側案内支持板４３とによって解除可能に挟持固定されることを特徴とする。
【００１３】
このシートシャッターカーテン１７の構造では、案内支持板３１が螺合手段３９によって分離可能な表側案内支持板４１と裏側案内支持板４３とからなることで、案内支持板３１が外された後に、連結帯３５が着脱材支持帯３３からスライドにより脱着可能となる。
【発明の効果】
【００１４】
本発明に係る請求項１記載のシートシャッターカーテンの構造によれば、案内支持板と袋状ボトムシートとが分離される構造としたことで、シートシャッターが下降中に袋状ボトムシートが人や障害物に衝突した際、袋状ボトムシートが撓むようなことがあった場合でも、その衝撃力が局部的にかかり袋状ボトムシートは左右が中央に引っ張られる状態となるものの、分離によるスリットが存在することで、シート側部係合帯のファスナーが引っ張られず、ガイドレールから抜けてしまうことがない。また、この分離構造としたことで、シートシャッターの下降中に人や障害物に衝突した際に、シート両端部がガイドレールから外れにくくなって、このことからシート側部係合帯の損傷や変形などの発生が起きにくくなる。
【００１５】
請求項２記載のシートシャッターカーテンの構造によれば、案内支持板と袋状ボトムシートとの分離部分に形成されるスリットに隙間塞ぎ用シートを配したことで、スリットが目立つことがない。また、シートシャッターカーテンの閉鎖時には、スリットに隙間塞ぎ用シートが介在することとなり、気密性が向上し、光漏れが防止されることとなる。そして、案内支持板と袋状ボトムシートとがスリットにて離間することがあっても、隙間塞ぎ用シートによって隙間が塞がれることとなる。
【００１６】
請求項３記載のシートシャッターカーテンの構造によれば、隙間塞ぎ用シートは、上縁部が連結帯及び袋状ボトムシートの内部に固定され、側縁部が袋状ボトムシートの端部から延出しており、この側縁部が、垂下片部と、シート側部係合帯とともに、案内支持板によって挟持固定されることとなり、この隙間塞ぎ用シートを介してシート下端部が高強度に連結される。
【００１７】
請求項４記載のシートシャッターカーテンの構造によれば、案内支持板が螺合手段によって分離可能な表側案内支持板と裏側案内支持板とからなることで、案内支持板が外された後に、連結帯が着脱材支持帯からスライドにより脱着可能となる。このことから、袋状ボトムシートをシート本体から取り外しが可能となり、破損時の交換などメンテナンスが可能となる効果を有する。
【図面の簡単な説明】
【００１８】
【図１】本発明に係る構造を用いたシートシャッター装置の斜視図である。
【図２】図１のＡ部平断面図である。
【図３】同Ａ部の一部破断斜視図である。
【図４】図３の分解斜視図である。
【図５】下部着脱部材が外されたシートシャッターカーテンの斜視図である。
【図６】下部着脱部材が取り付けられたシートシャッターカーテンの要部正面図である。
【図７】（ａ）は全閉時のシートシャッターカーテンの正面図、（ｂ）はそのＢ−Ｂ断面図である。
【図８】袋状ボトムシートが障害物に当たり変形したときの正面図である。
【発明を実施するための形態】
【００１９】
以下、本発明の実施の形態を図面を参照して説明する。
図１は本発明に係る構造を用いたシートシャッター装置の斜視図、図２は図１のＡ部平断面図、図３は同Ａ部の一部破断斜視図である。
本実施の形態に係るシャッターカーテンの構造を用いて好適なシートシャッター装置１３は、カーテン収納部１５と、シートシャッターカーテン１７と、一対のガイドレール１９とに大別して構成される。
【００２０】
開口部２１の設けられた建物躯体のまぐさ上部には下地部材を介してカーテン収納部１５が取り付けられ、カーテン収納部１５は電動開閉機により回転される巻取シャフトを内設する。開口部２１の両側にはカーテン収納部１５を挟んで上下に延在する一対のガイドレール１９が取り付けられる。ガイドレール１９は、建物躯体に固定される図２に示すガイドレール枠体２３に取り付けられる。ガイドレール１９は、巻取シャフトに巻装されカーテン収納部１５のカーテン出入口から巻き取り、繰り出されるシートシャッターカーテン１７のカーテン左右側をガイドする。
【００２１】
シートシャッターカーテン１７は、布製のスクリーン、あるいは塩化ビニールやウレタン等の軟性樹脂シート、さらにはゴムまたはゴム状物質により形成されたシート等を用いることができる。また、防火や防煙等の防災目的に使用する場合には、例えば、シリカクロスまたはガラスクロス、あるいはこれらに耐火被覆材としての耐火塗料や防水被覆材を吹き付け若しくは塗布しまたは含浸させたもの等を好適に用いることができる。さらに、シート等は、ワイヤーメッシュ等の補強用の金属あるいは樹脂線材等と組み合わされたものであってもよい。
【００２２】
図３に示すように、シートシャッターカーテン１７は、シート本体２５と、下部着脱部材２７とを有する。シート本体２５は、ガイドレール１９に側部務歯列２９を介しカーテン左右側が抜け止めされて昇降が案内される。下部着脱部材２７は、シート本体２５に対して着脱自在に取り付けられている。下部着脱部材２７は、ガイドレール１９の内々の寸法となる。つまり、ガイドレール１９内には入らない。
【００２３】
図４は図３の分解斜視図、図５は下部着脱部材２７が外されたシートシャッターカーテン１７の斜視図である。
シート本体２５に対して着脱自在となる下部着脱部材２７は、左右が案内支持板３１によってシート本体２５に開口幅に沿う方向の移動が固定されている。下部着脱部材２７は、着脱材支持帯３３、連結帯３５を介してシート本体２５のシート下端部３７に支持される。
【００２４】
案内支持板３１は、シート本体２５の表裏から螺合手段３９によってネジ固定される表側案内支持板４１と裏側案内支持板４３とからなる。案内支持板３１が固定されるシート本体２５の左右には下側に垂れ下がる垂下片部４５が形成される。
【００２５】
着脱材支持帯３３は、シート本体２５のシート下端部３７に溶着或いは接着により固定される。着脱材支持帯３３には下部務歯列４７が設けられる。本実施の形態において、側部務歯列２９及び下部務歯列４７は、所謂ファスナー４９である。
【００２６】
シート両端部５１には、ガイドレール１９に沿って長尺のシート側部係合帯５３が溶着或いは接着により固定される。シート側部係合帯５３のガイドレール１９側には、長手方向に沿って上記の側部務歯列２９が設けられている。シート本体２５は、シート下端部３７と、シート両端部５１の双方に、同一のファスナー４９が使用されている。これにより、シートシャッターカーテン１７への務歯列縫製作業が効率化されている。
【００２７】
側部務歯列２９、下部務歯列４７としては、線ファスナーの一対の係合子群、或いは螺旋状の係合線体を好適に用いることができる。これら係合子群や螺旋状の係合線体を用いることにより、薄厚のシート本体２５のシート下端部３７、シート両端部５１に、高強度の抜止構造を、容易かつ安価に連続形成することが可能となる。
【００２８】
連結帯３５は、樹脂材により一体成形（例えば押し出し成形）される。連結帯３５は、ファスナー４９の抜けを阻止するＹ字状係合部５５を有し、長手方向両側にはファスナー４９を差し入れる挿入口５７を開口している。本実施の形態では、断面が略Ｙ字状となる。これにより、左右よりファスナー４９を抜き差し自在として、シート本体２５のシート下端部３７にＹ字状係合部５５を着脱自在としている。このようなスライド方式の係合構造とすることで、シート表裏方向からの脱着ができなくなり、悪戯されにくくなる。
【００２９】
図６は下部着脱部材２７が取り付けられたシートシャッターカーテン１７の要部正面図である。
連結帯３５には、長手方向に沿って複数の錘５９（図７参照）が固定されている。錘５９としては、砂、鉄製球形粒子、金属製の鎖等を用いることができる。錘５９は、例えば、砂や鉄製球形粒子を収納袋６１に入れ、これを連結帯３５の長手方向に沿って所定間隔で固定している。
【００３０】
連結帯３５は、所定強度を有することで、錘５９の荷重を均等にシート下端部３７に支持できる。これにより、シート本体２５に、弛み、皺を生じさせずにシートシャッターカーテン１７を平らに開閉可能としている。つまり、錘５９を支持するための補強材としても働く。錘５９は、連結帯３５に固定される袋状ボトムシート６３によって覆われる。
【００３１】
ところで、袋状ボトムシート６３は、案内支持板３１と分離されている。すなわち、袋状ボトムシート６３の長手方向左右とシート本体２５とは縦方向のスリット６５を介しており、連結されていない。シートシャッターカーテン１７の下降中に袋状ボトムシート６３が障害物６７（図８参照）に当たると、シートシャッターカーテン１７は、その障害物６７を略頂点としてへの字状に変形する。すると、袋状ボトムシート６３の左右両端部分が前記への字の頂点部分を中央とする方向に引っ張られることとなる。上記のように袋状ボトムシート６３は案内支持板３１と分離されているので、袋状ボトムシート６３の左右端部分は案内支持板３１から離間する。離間量は、下側ほど大きくなり、略三角形状の隙間となる。この隙間は、シートシャッターカーテン１７の表裏を通じさせ、気密や遮光の点で好ましくない。本構成では、この分離構造による隙間が、隙間塞ぎ用シート６９によって塞がれる。
【００３２】
隙間塞ぎ用シート６９は、矩形状に形成されるとともに、所定長が袋状ボトムシート６３の内側に挿入され、別言すると、袋状ボトムシート６３の端部から所定長延出するように配置固定される。袋状ボトムシート６３の内部に挿入された隙間塞ぎ用シート６９は、袋状ボトムシート６３の内部で２辺である下辺部分６９ａ及び奥の側辺部分６９ｂが未固定のフリーになっている。
【００３３】
隙間塞ぎ用シート６９は、図４に示すように、上縁部７１が袋状ボトムシート６３及び連結帯３５とともに溶着固定される。袋状ボトムシート６３に挿入された側と反対側は、シート本体２５の垂下片部４５及びシート側部係合帯５３とに重なる。垂下片部４５とシート側部係合帯５３とに重ねられた隙間塞ぎ用シート６９は、表裏から表側案内支持板４１と裏側案内支持板４３とによって固定される。つまり、側縁部７３が、垂下片部４５と、シート側部係合帯５３と、着脱材支持帯３３と、連結帯３５とともに案内支持板３１に挟持固定される。これにより、案内支持板３１とシート下端部３７とが隙間塞ぎ用シート６９を介して高強度に連結されている。  
【００３４】
表側案内支持板４１と裏側案内支持板４３とには、連結帯３５のＹ字状係合部５５を収容する凹部７５（図４参照）がそれぞれに形成されている。すなわち、垂下片部４５、シート側部係合帯５３、着脱材支持帯３３、連結帯３５及び隙間塞ぎ用シート６９は、案内支持板３１によって一体に挟持固定される。換言すれば、案内支持板３１は、袋状ボトムシート６３のみを固定していない。
【００３５】
連結帯３５は、着脱材支持帯３３に対して長手方向にスライドして着脱自在となる。着脱材支持帯３３と、連結帯３５とは、螺合手段３９を用いて表側案内支持板４１と裏側案内支持板４３とによって解除可能に挟持固定される。案内支持板３１が螺合手段３９によって分離可能な表側案内支持板４１と裏側案内支持板４３とからなることで、案内支持板３１が外された後には、連結帯３５が着脱材支持帯３３からスライドにより脱着可能となる。つまり、螺合手段３９の解除によって、案内支持板３１が外れ、連結帯３５をスライドして下部着脱部材２７を容易に交換することができるようになっている。
【００３６】
シートシャッターカーテン１７の構造では、スリット６５に隙間塞ぎ用シート６９があることで、スリット６５が目立たなくなる。また、シートシャッターカーテン１７の閉鎖時には、スリット６５に隙間塞ぎ用シート６９が介在することで、気密性が向上し、光漏れが防止される。そして、例えば床面７９に凹凸があることで案内支持板３１と袋状ボトムシート６３とが離間し、スリット６５の幅が拡がっても、案内支持板３１に固定された隙間塞ぎ用シート６９によって隙間を塞ぐことができる。
【００３７】
また、シートシャッターカーテン１７は、案内支持板３１により、下部着脱部材２７の横ずれが防止される。カーテン幅方向の横ずれが防止されることによって、ファスナー４９の抜け止めとなる。なお、上記ファスナー４９及び連結帯３５の寸法は、ガイドレール１９の内々の寸法よりも若干短い寸法、すなわちガイドレール間の間隔長さよりもやや短尺とされ、ガイドレール１９内には入らない構成とされている。
【００３８】
なお、シートシャッター装置１３には、停電時などの非常の際に、シートシャッターカーテン１７を手動により昇降する手動開放装置が備えられる。しかし、この手動開放装置は、一方の面側にしか装備されない場合がある。シートシャッター装置１３では、手動開放装置のない側からの脱出時に、下部着脱部材２７を掴み持ち、上方に強制的に開放動作させれば、人が通れるくらいの間隙が床面との間に形成されることが望ましい。
【００３９】
案内支持板３１は、表裏方向の厚さＴ（図２参照）が、上記したカーテン収納部１５のカーテン出入口より大きい。したがって、従来カーテン収納部への巻き込み防止に使用していた専用のカーテン貫通ボルトの代わりとして案内支持板３１を兼用することができ、これにより、部品点数を少なくしている。
【００４０】
次に、上記シートシャッターカーテン１７の構造の作用を説明する。
図７（ａ）は全閉時のシートシャッターカーテン１７の正面図、（ｂ）はそのＢ−Ｂ断面図、図８は袋状ボトムシート６３が障害物６７に当たり変形したときの正面図である。
錘５９は、案内支持板３１の下端よりやや上方に位置している。また、袋状ボトムシート６３は、案内支持板３１の下端より下方に位置する。したがって、図７に示すように、シートシャッターカーテン１７が着地した際、案内支持板３１の下端が、錘５９よりも長く、錘５９が床面７９に着地せず、袋状ボトムシート６３が床面７９に荷重をかけて擦れることがなくなる。これにより、錘５９の収納袋６１や袋状ボトムシート６３の擦り切れなどによる破損を防止している。また、着地の際には、案内支持板３１より垂下した袋状ボトムシート６３のみが弛んで大きな面積で床面７９に接し、気密性を高めるようになっている。弛んだ袋状ボトムシート６３を接触させることで、床面７９の凹凸も吸収することができる。
【００４１】
また、上記の構成を有するシートシャッター装置１３では、下部着脱部材２７に交換の必要が生じた場合、カーテン収納部１５からシートシャッターカーテン１７を繰り出し、交換作業に適する位置に下部着脱部材２７を配置する。次いで、左右の案内支持板３１を取り外す。案内支持板３１が取り外されると、シート本体２５に対しての連結帯３５の固定が解除される。固定が解除された下部着脱部材２７を、着脱材支持帯３３のいずれか一方の端から、連結帯３５を横方向にスライドして抜き取る。これにより、下部着脱部材２７の脱着が容易に完了する。
【００４２】
新規の下部着脱部材２７を装着するには、上記手順と逆の手順により、先ず、着脱材支持帯３３の端に、連結帯３５の挿入口５７を入れ、連結帯３５、錘５９、袋状ボトムシート６３が一体となった下部着脱部材２７をスライドして挿入する。下部着脱部材２７がシート下端部３７の左右方向均等位置となったなら、左右の案内支持板３１を固定して、下部着脱部材２７を移動しないようにして、下部着脱部材２７の装着作業を終了する。
【００４３】
そして、このシートシャッターカーテン１７の構造では、案内支持板３１と袋状ボトムシート６３とが分離されているので、袋状ボトムシート６３が障害物６７に衝突した際の衝撃力が局部的にかかるのではなく、シート下端部３７の全体にかかるようになる。図８に示すように、袋状ボトムシート６３が障害物６７に当たり、撓むようなことがあった場合に、袋状ボトムシート６３は左右端部が中央方向に引っ張られる状態となるが、分離によるスリット６５が存在することで、シート側部係合帯５３のファスナー４９が引っ張られない。このため、ファスナー４９がガイドレール１９から抜けてしまうことがなく、すなわち破損などの虞がない。
【００４４】
したがって、上記した実施の形態に係るシートシャッターカーテン１７の構造によれば、シートシャッターカーテン１７が下降中に人や障害物６７に衝突した際、シート両端部５１がガイドレール１９から外れにくくなり、補修作業を行わなくて済む。
【００４５】
なお、上記の実施の形態では、シート下端部３７に対して下部着脱部材２７が着脱自在である場合を例に説明したが、本発明に係るシートシャッターカーテン１７の構造は、着脱材支持帯３３と、連結帯３５とを省略し、袋状ボトムシート６３と、隙間塞ぎ用シート６９とを直接シート下端部３７に固定する構造としてもよい。
【００４６】
また、上記の実施の形態では、隙間塞ぎ用シート６９が１枚のシート状で構成される例として説明したが、この隙間塞ぎ用シート６９は、複数枚を重ねて構成されるものとしてもよく、或いは折り重ねる構成や、その折曲辺部分を下縁側に配置して上記した袋状ボトムシート６３と同様に袋状に構成する例、さらには上記した収納袋６１のように内部に錘を入れた構成としても良い。このような構成によれば、スリット６５部分における隙間の発生を多重に防ぎ、また錘による垂下方向の付勢によって隙間を塞ぐこととなる。
【００４７】
さらに、上記実施の形態では、螺合手段３９を用い、表側案内支持板４１と裏側案内支持板４３とを固定する場合を例に説明したが、その他の構造、例えば一方の案内支持板に埋込ボルトを設け他方の案内支持板をナットで固定する構造や係脱可能な爪構造などで両案内支持板４１，４３を解除可能とする構造としても良く、或いは、解除が不要な構造としても良い場合には溶着や接着などで固定する構造としても良い。
【符号の説明】
【００４８】
１７…シートシャッターカーテン
２５…シート本体
３１…案内支持板
３３…着脱材支持帯
３５…連結帯
３７…シート下端部
３９…螺合手段
４１…表側案内支持板
４３…裏側案内支持板
４５…垂下片部
５１…シート両端部
５３…シート側部係合帯
６３…袋状ボトムシート
６９…隙間塞ぎ用シート
７１…上縁部
７３…側縁部
【図１】
0005877738.tif 000002
【図２】
0005877738.tif 000003
【図３】
0005877738.tif 000004
【図４】
0005877738.tif 000005
【図５】
0005877738.tif 000006
【図６】
0005877738.tif 000007
【図７】
0005877738.tif 000008
【図８】
0005877738.tif 000009